(57)【特許請求の範囲】
【請求項１】
流し台に設置される給水路からの水道水を内部流路を経て吐出口から噴流洗浄水として吐出させる吐出ノズルと、
上記吐出ノズルの内部流路に洗剤を供給するための洗剤供給口を有する洗剤タンクと
を備えており、
上記吐出ノズルに、
上記洗剤タンクが収容可能な凹形状に形成されて当該洗剤タンクを着脱自在に装着するためのタンク装着部と、
洗剤タンクの装着状態で洗剤タンクの洗剤供給口が接続される洗剤受口と
を設けると共に、
上記洗剤受口を内部流路の洗浄水流により生じる負圧発生部に連通させ、
上記タンク装着部に着脱自在に取り付けられた上記洗剤タンクには、上記洗剤供給口の開閉を切り換え可能な洗剤用開閉弁が設けられ、
この洗剤用開閉弁には、押し込み時に上記洗剤供給口を開放する押釦スイッチが設けられており、
前記内部流路の下流側端部を構成する前記吐出ノズルの先部が、洗浄水の流れ方向において流路径が同一となり且つその流路長さが同流路の直径の２〜５倍となるよう形成された整流部となっている
ことを特徴とする洗浄水吐出装置。
【請求項２】
上記タンク装着部に対して洗剤タンクを装着する際に、洗剤タンクを装着方向に沿わせてガイドするための装着ガイドを備えている
ことを特徴とする請求項１記載の洗浄水吐出装置。
【請求項３】
上記内部流路の途中に、洗浄水に気体を混入するための気体混入部が設けられ、
上記吐出ノズルの上記吐出口から、気泡を含む噴流洗浄水を吐出するよう構成されている
ことを特徴とする請求項１又は請求項２のいずれかに記載の洗浄水吐出装置。
【発明の詳細な説明】
【技術分野】
【０００１】
本発明は、洗浄水吐出装置に関し、詳しくは流し台に設置されて高圧の噴流洗浄水を吐出させて食器、調理器具等の被洗浄物を洗浄するための洗浄水吐出装置に関するものである。
【背景技術】
【０００２】
一般に、キッチンにおける調理や食事後の汚れが付着した皿や鍋等の被洗浄物は、洗剤を付けたタワシやスポンジを手で持ってこすり洗いをしているか、或いは食器洗い機が利用されている。
【０００３】
前者の手洗いの場合は、洗剤や長時間の流水が手荒れの原因となる。手あれ防止のゴム手袋もあるがいちいち着用するのは面倒であり、また水跳ねによって手袋内部に水が入りやすいという問題もある。また、後者の食器洗い機では、しつこい汚れは十分に落としきれないという問題がある。
【０００４】
そこで従来より、洗浄水に洗剤を混ぜて洗浄ノズルから噴射させることで、被洗浄物を洗浄できるようにした洗剤供給装置が知られている（例えば、特許文献１参照）。
【０００５】
しかしながら上記特許文献１に見られる従来例では、洗浄ノズルと洗剤タンクとが離れた場所に別々に配置されており、洗剤タンクを例えば流し台の下に設置し、ポンプによって洗剤を流し台の上に配置した洗浄ノズルに供給する方式を採用しているため、ポンプが別途必要であり、しかもポンプの設置スペースを必要とするうえにコスト高を招くという問題もある。また、洗剤タンク内の洗剤の残量確認や補充、メンテナンスがしにくくなるという問題もあった。
【特許文献１】特開平５−１９２２６５号公報
【発明の開示】
【発明が解決しようとする課題】
【０００６】
本発明は上記の従来の問題点に鑑みて発明したものであって、洗剤タンクの納まりがよく、また洗剤タンク内の洗剤の補給、メンテナンスが容易であり、しかもポンプ等の動力を用いずに洗剤を含む噴流洗浄水を吐出させることができる洗浄水吐出装置を提供することを課題とするものである。
【課題を解決するための手段】
【０００７】
前記課題を解決するために本発明にあっては、流し台に設置される給水路３３からの水道水を内部流路５を経て吐出口３から噴流洗浄水として吐出させる吐出ノズル１と、上記吐出ノズル１の内部流路５に洗剤を供給するための洗剤供給口２２を有する洗剤タンク１４とを備えており、上記吐出ノズル１に、上記洗剤タンク１４が収容可能な凹形状に形成されて当該洗剤タンク１４を着脱自在に装着するためのタンク装着部６０と、洗剤タンク１４の装着状態で洗剤タンク１４の洗剤供給口２２が接続される洗剤受口２１とを設けると共に、上記洗剤受口２１を内部流路５の洗浄水流により生じる負圧発生部６に連通させ、上記タンク装着部６０に着脱自在に取り付けられた上記洗剤タンク１４には、上記洗剤供給口２２の開閉を切り換え可能な洗剤用開閉弁１７が設けられ、この洗剤用開閉弁１７には、押し込み時に上記洗剤供給口２２を開放する押釦スイッチ１３が設けられており、前記内部流路５の下流側端部を構成する前記吐出ノズル１の先部が、洗浄水の流れ方向において流路径が同一となり且つその流路長さが同流路の直径の２〜５倍となるよう形成された整流部１２となっていることを特徴としている。
【０００８】
このような構成とすることで、吐出ノズル１のタンク装着部６０に対して洗剤タンク１４を装着した状態で洗剤タンク１４の洗剤供給口２２と吐出ノズル１の洗剤受口２１とが接続されて、吐出ノズル１と洗剤タンク１４とが一体状となるので、洗剤タンク１４の納まりが良いものであり、しかも洗剤タンク１４を着脱自在とすることで、洗剤の補給、メンテナンスが容易となる。さらに吐出ノズル１の洗剤受口２１は吐出ノズル１の内部流路５の負圧発生部６に通じているので、水道水圧によって負圧発生部６に発生する負圧を利用して、洗剤タンク１４内の洗剤を吐出ノズル１の内部流路５に吸い込んで供給できるようになるので、ポンプ等の動力を用いることなく、吐出口３から洗剤を含む噴流洗浄水として吐出させることが可能である。
【０００９】
また、上記タンク装着部６０を洗剤タンク１４が収容可能な凹形状に形成したので、洗剤タンク１４の納まりが良くなると共に、洗剤タンク１４と吐出ノズル１との一体感が創出され、デザイン性に一層優れたものとなる。
【００１０】
また、上記タンク装着部６０に対して洗剤タンク１４を装着する際に、洗剤タンク１４を装着方向に沿わせてガイドするための装着ガイド６２を備えているのが好ましく、この場合、装着ガイド６２によってタンク装着部６０に対する洗剤タンク１４の誤装着を防止できるようになる。
【発明の効果】
【００１２】
本発明は、吐出ノズルのタンク装着部に対して洗剤タンクを装着することにより、吐出ノズルと洗剤タンクとが一体状となって洗剤タンクの納まりがよくなり、洗剤タンクを設置するスペースを別途確保しなくて済み、キッチンスペースが狭められることがなく、しかも洗剤タンクを着脱自在とすることで、洗剤の補給、メンテナンスが容易となり、さらにポンプ等の動力を用いることなく、吐出口から洗剤を含む噴流洗浄水として吐出させることができるので、洗浄水吐出装置の構成の簡素化及び低コスト化、節電を図ることができるものである。
【発明を実施するための最良の形態】
【００１３】
以下、本発明を添付図面に示す実施形態に基づいて説明する。
【００１４】
本実施形態の洗浄水吐出装置３０は、図３に示すように、キッチンシンク３２に用いられるものであり、流し台３１のキッチンシンク３２内に噴流洗浄水を吐出するための吐出ノズル１を備えている。吐出ノズル１はキッチンシンク３２の周縁部から立ち上げた支柱９０に支持されていると共に、水道管から分岐した給水路３３の下流端が吐出ノズル１の後端部に接続されており、給水路３３からの水道水が洗浄水として吐出ノズル１内に供給されるようになっている。吐出ノズル１の吐出口３は下向き又は少なくとも下向きにできるように配置されている。
【００１５】
吐出ノズル１の詳細な構造を説明する。図３及び図４に示すように、直線状に配置した、給水路接続管２６、上流管２７、下流管２８、吐出管２９、からなる略筒状のノズル本体部２４で主体を構成してある。
【００１６】
給水路接続管２６の先端部は上流管２７の後端部にねじ込むことで接続してあり、上流管２７の先端部は下流管２８の後端部にねじ込むことで接続してあり、下流管２８の先端部は吐出管２９の後端部にねじ込むことで接続してあり、これにより給水路接続管２６、上流管２７、下流管２８、吐出管２９の夫々の内面によって構成される内部流路５を形成している。
【００１７】
ノズル本体部２４の先端部（長手方向の一端部）を構成する吐出管２９の先端には内部流路５の一端開口を構成する吐出口３を形成している。ノズル本体部２４の後端部（長手方向の他端部）を構成する給水路接続管２６の後端には内部流路５の他端開口を構成する流入口４を形成してあり、該流入口４が給水路３３の下流端（ホースの一端又は給水管の先端）に接続される。給水路３３からノズル本体部２４に供給された洗浄水は流入口４から内部流路５に流入し、内部流路５を通過して吐出口３から吐出される。
【００１８】
内部流路５の途中には、洗浄水に気体を混入する気体混入部７と、洗浄水に液体の洗剤を供給する洗剤受口２１を設けてあり、これにより気泡を含む噴流洗浄水又は気泡及び洗剤を含む噴流洗浄水のうちいずれかを選択的に吐出口３から吐出可能となっている。
【００１９】
気体混入部７による気体の混入及び洗剤受口２１からの洗剤の供給は吐出ノズル１の内部流路５を洗浄水が流れる際に生じる負圧を利用する。
【００２０】
内部流路５の一部を構成する上流管２７の先端部は内径が下流側程小さくなった絞り部９としてあり、上流管２７の絞り部９の出口部付近は噴流洗浄水の吐出時において負圧が生じる負圧発生部６となっている。負圧発生部６の位置は上流管２７の先端部の下流管２８へのねじ込み深さを調節することで変更可能である。
【００２１】
下流管２８の負圧発生部６に対向する箇所には気体混入部７を構成する大気開放口７ａと洗剤供給口２２とを設けている。
【００２２】
大気開放口７ａは、例えば、吐出ノズル１の外側面と洗剤タンク１４との隙間空間に連通しており、噴流洗浄水の吐出時において負圧発生部６で発生する負圧により大気開放口７ａから内部流路５に空気が取り込まれ、これにより噴流洗浄水に気泡が混入される。なお大気開放口７ａの位置は特に限定されず、適宜に設定変更自在である。
【００２３】
洗剤タンク１４は吐出ノズル１の長手方向に細長い略直方体状に形成してあり、該洗剤タンク１４が取り付けられる吐出ノズル１は、洗剤タンク１４の長手方向が上下を向くことができるように移動自在となっている、又は洗剤タンク１４の長手方向が上下を向くよう吐出口３を下側に向けて設けられる。
【００２４】
洗剤タンク１４の先端部には洗剤タンク１４内に連通する洗剤供給口２２を突設している。洗剤タンク１４の後端部には洗剤を補給するための洗剤補給口１５を設けてあり、洗剤補給口１５は該洗剤補給口１５に着脱自在に取り付けたキャップ１９により閉塞してある。
【００２５】
洗剤タンク１４はノズル本体部２４の後部を構成する上流管２７の外面に沿わせると共に洗剤供給口２２を吐出ノズル１の洗剤受口２１に嵌め込んだ状態で吐出ノズル１に取り付けられる。
【００２６】
洗剤タンク１４には洗剤用開閉弁１７を設けている。洗剤用開閉弁１７を開閉することで洗剤タンク１４と内部流路５の連通・非連通状態を切替可能としてあり、噴流洗浄水の吐出時に洗剤用開閉弁１７を開いて洗剤タンク１４を内部流路５に連通することで、負圧発生部６で発生する負圧により洗剤タンク１４内の洗剤を内部流路５を流れる洗浄水に供給できるようになっている。洗剤用開閉弁１７は図示しないばねにより洗剤供給口２２を遮断する方向に付勢されている。洗剤用開閉弁１７を開く場合は、洗剤用開閉弁１７の操作部を構成する押釦スイッチ１３を前記ばね力に抗して押し込む。また、洗剤用開閉弁１７は押釦スイッチ１３の非押し込み時には前記ばね力により洗剤供給口２２を遮断する位置に移動し、洗剤タンク１４から内部流路５への洗剤の供給を停止する。これにより洗剤が継続して内部流路５に供給されることを防止できるようになっている。
【００２７】
吐出ノズル１の気体混入部７から内部流路５に供給される空気の供給量は洗浄水のボイド率（気泡混入率）が１０〜３０％となるように設定してあり、気泡による洗浄効果を高めると共に気泡により洗浄水の流れが乱れることを防止でき、また、洗剤による粘性を高めて水跳ね防止効果を高めることができるようにしてある。また、洗剤供給口２２から内部流路５に供給される洗剤の量は洗浄水の洗剤希釈濃度が５０００〜１００００倍となるように設定してあり、洗剤の希釈濃度の高い気泡入り噴流洗浄水とすることで、多量の気泡を含むムース状の気泡入り噴流洗浄水とすることができ、洗浄効果を高めることができ、また適度の粘性を有する洗剤を含む気泡入り噴流洗浄水を吐出でき、水跳ね防止効果を高めることができるようにしてある。なお、図示例では大気開放口７ａよりも下流側に洗剤受口２１を設け、大気開放口７ａにて気泡が混入された噴流洗浄水に洗剤受口２１からの洗剤を供給するようにしてあるが、大気開放口７ａよりも上流側に洗剤受口２１を設けても良いものとする。
【００２８】
内部流路５の一部を構成する下流管２８の大気開放口７ａよりも下流側部分は減圧・加圧部１０となっている。減圧・加圧部１０は洗浄水の流れ方向において流路面積が変化するベンチュリ管状の流路からなり、下流側程流路径を縮小した減圧部１０ａと減圧部１０ａの下流側に位置して下流側程流路径を拡大した加圧部１０ｂとで構成してある。減圧・加圧部１０を洗浄水が通過すると、この通過の際に生じる洗浄水の圧力変動に伴って洗浄水が含有する比較的大きな気泡が剪断され、これにより気泡が微細化される。
【００２９】
下流管２８の下流側端部にはメッシュや多孔質体等からなる多数の孔を有する気泡剪断部１１を設けている。噴流洗浄水に含まれる気泡は気泡剪断部１１の多数の孔を通過することで更に微細化される。
【００３０】
内部流路５の下流側端部を構成する吐出管２９の先部は洗浄水の流れ方向において流路径が同一となる整流部１２となっている。整流部１２の流路長さＬ（図７）は整流部１２の直径ａ（図７）の２〜５倍としてあり、洗浄水は整流部１２にて整流された後に吐出口３から直線状に吐出される。
【００３１】
吐出ノズル１の内部流路５の上流側には水流スイッチ（図示せず）が設けてあり、内部流路５を流れる洗浄水の流量を調節できるようにしている。
【００３２】
上記洗浄水吐出装置３０を用いてキッチンシンクの内面や食器等の被洗浄物を洗浄するには、洗剤タンク１４を取り付けた吐出ノズル１を把持して吐出口３を被洗浄物に向け、この状態で吐出ノズル１の内部流路５に洗浄水を供給する。これにより、洗剤用開閉弁１７が閉じた状態にある場合には、給水路３３から吐出ノズル１に供給された洗浄水は気体混入部７にて気泡が混入され、次に、洗浄水に含まれる気泡が減圧・加圧部１０及び気泡剪断部１１にて微細化され、さらにこの後に、整流部１２で整流され、これにより、吐出口３から微細気泡を含む噴流洗浄水として吐出されるようになる。
【００３３】
また、押釦スイッチ１３を押して洗剤用開閉弁１７が開いた状態にある場合には、給水路３３から吐出ノズル１に供給された洗浄水は、気体混入部７にて気泡が混入され、次に洗剤供給口２２にて洗剤が供給され、次に、洗浄水に含まれる気泡が減圧・加圧部１０及び気泡剪断部１１にて微細化され、この後、整流部１２で整流された後、吐出口３から微細気泡及び洗剤を含む噴流洗浄水として吐出される。そして、このように吐出口３から吐出された微細気泡又は微細気泡及び洗剤を含む噴流洗浄水を被洗浄物に当てて被洗浄物を洗浄する。
【００３４】
次に、本発明の洗剤タンク１４の取り付け構造を図１、図２を参照して説明する。
【００３５】
図１、図２は、請求項１、３に対応する実施形態であり、吐出ノズル１のタンク装着部６０の左右両側には、それぞれ、凹溝部６２ｃが設けられると共に、凹溝部６２ｃの内部に凸状の嵌合部６２ｂが突設されている。一方、洗剤タンク１４の左右両側には一対の装着ガイド６２が突設されていると共に、各装着ガイド６２の先端には、それぞれ、上記凹溝部６２ｃ内の嵌合部６２ｂに凹凸嵌合する凹状の被嵌合部６０ａが突設されている。
【００３６】
本例の洗剤タンク１４の装着方向は吐出ノズル１の外側面１ａに対して直交する方向（図１の矢印Ｅの方向）であり、この装着方向に沿って洗剤タンク１４の装着ガイド６２が突出している。本例の装着ガイド６２はそれぞれ弾性変形自在とされており、各装着ガイド６２を吐出ノズル１の左右の凹溝部６２ｃに向けて押し込むことにより装着ガイド６２の先端に設けた被嵌合部６２ａが凹溝部６２ｃ内の嵌合部６２ｂに対してパッチン嵌合により取り付けられると共に、装着ガイド６２は弾性変形可能であるから洗剤タンク１４からの取り外しも可能となる。
【００３７】
さらに、洗剤タンク１４の装着方向に対面するようにして、洗剤タンク１４の前部下面から洗剤供給口２２が突設していると共に、吐出ノズル１の前部上面から洗剤受口２１が突設しており、これら洗剤供給口２２と洗剤受口２１とは、洗剤タンク１４を吐出ノズル１のタンク装着部６０に装着した状態で洗剤供給口２２が洗剤受口２１に接続されるような位置関係となっている。
【００３８】
しかして、上記構成の洗浄水吐出装置３０は、吐出ノズル１のタンク装着部６０に対して洗剤タンク１４を装着した状態で洗剤タンク１４の洗剤供給口２２と吐出ノズル１の洗剤受口２１とが接続されて、吐出ノズル１と洗剤タンク１４とが一体状となるので、洗剤タンク１４の納まりが良いものとなり、洗剤タンク１４を設置するスペースを別途確保しなくて済み、キッチンスペースが狭められることがない。しかも洗剤タンク１４を着脱自在とすることで、洗剤の補給、メンテナンスが容易となる。さらに吐出ノズル１の洗剤受口２１は吐出ノズル１の内部流路５の負圧発生部６に通じているので、水道水圧によって負圧発生部６に発生した負圧を利用して、洗剤タンク１４内の洗剤を吐出ノズル１の内部流路５に供給できるようになるので、ポンプ等の動力を用いることなく、吐出口３から洗剤を含む噴流洗浄水として吐出させることができる結果、洗浄水吐出装置３０の構成の簡素化及び低コスト化、節電を図ることができる。
【００３９】
また本例では、洗剤タンク１４を吐出ノズル１のタンク装着部６０に装着する際に、装着ガイド６２によって洗剤タンク１４の誤装着を防止できる利点もある。
【００４０】
また本例の洗浄水吐出装置３０は、洗剤を含む噴流洗浄水を吐出できるので、被洗浄物を綺麗に洗浄できるものであり、しかも気泡を含む噴流洗浄水の場合は衝撃力が高く洗浄力が高いので、この点でも洗浄効果が高い。さらに、噴流洗浄水に含まれる気泡は泡径が非常に小さい微細気泡であるため、汚れへの付着性、浸透性、剥離効果が高く、このため被洗浄物に付着した油汚れをより効果的に落とすことができる。また、この微細気泡は泡径が非常に小さく均一に含まれるために噴流洗浄水の水流を乱しにくく、このため水跳ねを一層防止できるという利点もある。
【００４１】
図４〜図８は、請求項２、３に対応する実施形態であり、吐出ノズル１の外側面１ａの前端側からタンク接続用部材２０を突出させることで、吐出ノズル１の外側面１ａに洗剤タンク１４が収容可能な凹形状のタンク装着部６０を形成している。また本例の洗剤タンク１４の装着方向は吐出ノズル１の外側面１ａに対して略平行な方向（図６、図７の矢印Ｆの方向）であり、この装着方向に対面するようにして、洗剤タンク１４の前面から洗剤供給口２２が突設され、タンク接続用部材２０の内面から洗剤受口２１が突設されている。さらに、タンク接続用部材２０の内面の下端部には、左右両端に凸状の被嵌合部６２ａを有する装着ガイド６２（図８）が突設されており、一方、洗剤タンク１４の前端部の左右両側には、それぞれ、上記被嵌合部６２ａに嵌合する凹状の嵌合部６２ｂが設けられており、洗剤タンク１４を吐出ノズル１のタンク装着部６０に装着したときに、嵌合部６２ｂと被嵌合部６０ａとが凹凸嵌合すると共に、洗剤タンク１４の洗剤供給口２２がタンク接続用部材２０の洗剤受口２１に接続された状態となる。
【００４２】
また本例のタンク接続用部材２０は下流管２８の外面に取り付けてあり、下流管２８から外方に向けて突出している。タンク接続用部材２０の後面には、タンク接続用部材２０の内部に形成した洗剤流路１８の上流端を構成する洗剤受口２１を凹設してある。タンク接続用部材２０の洗剤流路１８には洗剤用開閉弁１７を設け、これを開閉することで洗剤タンク１４と内部流路５の連通・非連通状態を切替可能としてあり、噴流洗浄水の吐出時に押釦スイッチ１３を押し込んで洗剤用開閉弁１７を開いて洗剤タンク１４を内部流路５に連通することで、負圧発生部６で発生する負圧により洗剤タンク１４内の洗剤を内部流路５を流れる洗浄水に供給できるようになっている。押釦スイッチ１３はその非押し込み時にはばね力により洗剤流路１８を遮断する位置に移動し、洗剤タンク１４から内部流路５への洗剤の供給を停止するものである。なお、図６、図７中の１６は内部流路５を流れる洗浄水の流量を調節するための流量調整レバーであり、本例では、上流管２７の内部にスライドバルブ２３を収納し、その先端外面に装着したＯリング２３ｂを上流管２７の内周面に設けた弁座面に接離自在としており、流量調整レバー１６の軸２５を吐出ノズル１側に回動自在に軸支すると共に、流量調整レバー１６の基端部１６ａをスライドバルブ２３に突設した係合部２３ａに係合させてあり、流量調整レバー１６を閉じる方向ａ１に握るとスライドバルブ２３が後方向ｂ１に押されて内部流路５が開かれるようになり、流量調整レバー１６を離すとバネ（図示せず）によって流量調整レバー１６が開く方向ａ２に回動してスライドバルブ２３が前方向ｂ２に押されて内部流路５が閉じられるようになっている。なお図中の５０は洗浄水量確認用窓である。他の構成は図１の実施形態と同様であり、対応する部分には同一符号を付して詳しい説明は省略する。
【００４３】
しかして本例では、前記実施形態のような洗剤を供給するためのポンプ等の動力が不要であり、しかも洗剤の補給、メンテナンスが容易となり、さらに装着ガイド６２によって洗剤タンク１４の誤装着を防止できるという効果に加えて、タンク接続用部材２０によって吐出ノズル１の外側面１ａに凹形状のタンク装着部６０を形成し、この凹形状部分に洗剤タンク１４を収容できるようにしたので、洗剤タンク１４の納まりが非常に良くなると共に、洗剤タンク１４と吐出ノズル１とタンク接続用部材２０との一体感が創出され、デザイン性に一層優れたものとなる。
【００４４】
図９は、請求項４に対応する実施形態であり、洗剤タンク１４の洗剤供給口２２に、吐出ノズル１への非装着時に洗剤の漏れを防ぐための逆止弁６５を設けたものである。他の構成は図４〜図８の実施形態と同様である。本例では、洗剤タンク１４の洗剤供給口２２の内部に収納される逆止弁６５が、バネによって突出する方向（矢印ｈで示す方向）に付勢されており、洗剤タンク１４の洗剤供給口２２を吐出ノズル１の洗剤受口２１に接続したときには、洗剤受口２１側に設けた押圧突起８０（図６）によって逆止弁６５が後退する方向に押されることで洗剤供給口２２が開き、吐出ノズル１内に生じる負圧によって吐出ノズル１内への洗剤供給が可能となるが、洗剤受口２１から取り外すと逆止弁６５によって洗剤供給口２２が自動的に塞がれた状態になるので、洗剤タンク１４を取り外したときや洗剤を補給した後に、洗剤供給口２２を下向きにした場合でも、洗剤が漏れ出すのを確実に防止できるようになる。
【００４５】
なお、上記洗浄水吐出装置３０はキッチンシンク用のものであるが、浴室や洗面化粧台等、その他の衛生設備に適用しても良いものとする。
【図面の簡単な説明】
【００４６】
【図１】本発明の一実施形態であり、吐出ノズルのタンク装着部に対して洗剤タンクを装着する前の状態を示す側面断面図である。
【図２】同上の吐出ノズルのタンク装着部に対して洗剤タンクを装着した状態を示す側面断面図である。
【図３】同上の吐出ノズルをキッチンシンクに設置した状態の説明図である。
【図４】本発明の他の実施形態の洗剤タンク付き吐出ノズルの斜視図である。
【図５】図４を模式的に示した側面図である。
【図６】図４の吐出ノズルのタンク装着部に対して洗剤タンクを装着する途中の過程を示す側面断面図である。
【図７】図４の吐出ノズルのタンク装着部に対して洗剤タンクを装着した状態を示す側面断面図である。
【図８】同上のタンク接続用部材の装着ガイドに対して洗剤タンクを嵌め込む状態を説明する斜視図である。
【図９】（ａ）（ｂ）は同上の洗剤タンクの洗剤供給口に、吐出ノズルへの非装着時に洗剤の漏れを防ぐための逆止弁を設けた場合の説明図である。
【符号の説明】
【００４７】
１  吐出ノズル
１ａ  外側面
３  吐出口
５  内部流路
６  負圧発生部
１４  洗剤タンク
２０  タンク接続用部材
２１  洗剤受口
２２  洗剤供給口
３０  洗浄水吐出装置
３１  流し台
３３  給水路
６０  タンク装着部
６２  装着ガイド
６５  逆止弁
【図１】
0004977001.tif 000002
【図２】
0004977001.tif 000003
【図３】
0004977001.tif 000004
【図４】
0004977001.tif 000005
【図５】
0004977001.tif 000006
【図６】
0004977001.tif 000007
【図７】
0004977001.tif 000008
【図８】
0004977001.tif 000009
【図９】
0004977001.tif 000010